(57)【特許請求の範囲】
【請求項１】
各々ページ番号により特定される複数のページからなり、それら複数のページをページめくり形式で閲覧可能なブック型表示コンテンツをなすデジタルコンテンツを、表示部の画面上にページ単位で切り替えて表示するページ出力手段と、表示すべきページのページ番号を入力するページ番号入力手段と、入力されたページ番号に対応するページのデータを選択して、前記ページ出力手段に切替表示させる表示制御手段とを有するデジタルコンテンツ表示システムにおいて、
前記デジタルコンテンツは、前記表示部の画面上に当該デジタルコンテンツを閲覧するための閲覧ウィンドウが表示されるとともに、当該閲覧ウィンドウには、当該デジタルコンテンツの各ページをページ単位で表示する表示するコンテンツ表示領域と、当該コンテンツ表示領域とは異なる領域にて当該コンテンツ表示領域内の表示を変更するための複数の操作ボタン画像が表示される表示変更操作領域とが設けられており、
前記デジタルコンテンツの予め定められたページ番号範囲内において、前記ページ番号入力手段によるページ番号入力により、前記ページ出力手段にて表示・閲覧済みのページにかかるページ番号を、閲覧済ページ番号リストに記憶する閲覧済ページ番号記憶手段と、
前記デジタルコンテンツの予め定められた区切りページが未閲覧ページを案内表示するための未閲覧案内ページとして設けられるとともに、該区切りページが表示・閲覧対象として選択された場合、及び該区切りページを飛ばす形で該区切りページよりもページ番号の大きいページが表示・閲覧対象として選択された場合のいずれか又は双方において、該デジタルコンテンツの閲覧開始から現在までに閲覧された閲覧済ページのページ番号を、前記閲覧済ページ番号リストから取得する閲覧済ページ番号取得手段と、
取得された前記閲覧済ページのページ番号に基づいて、前記ページ番号範囲内に存在する未閲覧ページを特定する未閲覧ページ特定手段と、
特定された未閲覧ページの閲覧勧誘を行うための閲覧勧誘情報を出力する閲覧勧誘情報出力手段と、
を有し、さらに、
前記閲覧勧誘情報出力手段は、前記コンテンツ表示領域に表示される前記未閲覧案内ページにおいて前記閲覧勧誘情報を表示出力するとともに、当該閲覧勧誘情報として、閲覧勧誘の対象となる前記未閲覧ページのページ番号の一覧を表示し、かつそれら各ページ番号の表示に対応付ける形で、対応するページに表示されている予め定められた情報表示領域の内容を表示するとともに、さらに、対応する未閲覧ページにページを切り替えるための未閲覧ページ切替操作ボタン画像を表示して、当該未閲覧ページ切替操作ボタン画像への操作入力により各未閲覧ページへのページ切り替えが可能とされていることを特徴とするデジタルコンテンツ表示システム。
【請求項２】
前記閲覧勧誘情報出力手段は、前記未閲覧ページ特定手段により特定された未閲覧ページの中に、予め定められた閲覧推奨ページが含まれるか否かを判定して、当該閲覧推奨ページが含まれている場合には、当該閲覧推奨ページの閲覧勧誘を行うための前記閲覧勧誘情報を出力するものである請求項１記載のデジタルコンテンツ表示システム。
【請求項３】
前記区切りページは、前記デジタルコンテンツの最終ページに定められている請求項１又は請求項２に記載のデジタルコンテンツ表示システム。
【請求項４】
前記デジタルコンテンツは複数の連続ページ群に区分されており、当該連続ページ群の先頭ページ及び最終ページのいずれか又は双方に前記区切りページが設けられるものである請求項１又は請求項２に記載のデジタルコンテンツ表示システム。
【請求項５】
前記デジタルコンテンツの予め定められたページにおいて、当該ページに表示が切り替わるに伴い、当該ページに係る内容を音声出力し、かつ出力される該音声にあわせてしゃべるように動くキャラクター動画画像を当該ページ上に重畳表示するページ案内手段を備えるとともに、当該ページには前記区切りページが含まれ、当該ページ案内手段は、当該区切りページに表示が切り替わるに伴い閲覧勧誘情報出力手段として機能し、
前記閲覧勧誘情報出力手段は、前記ページ案内手段が表示するキャラクター動画画像と同じキャラクターを当該区切りページ上に重畳表示し、当該キャラクターを、前記閲覧勧誘情報の出力音声にあわせてしゃべるように動くようにする請求項１ないし請求項４のいずれか１項に記載のデジタルコンテンツ表示システム。
【請求項６】
前記閲覧勧誘情報出力手段は、前記キャラクター動画画像として人の全身を前記ページ上に重畳表示するものであり、前記ページ案内手段が表示するキャラクター動画画像と同じキャラクターとされている請求項５記載のデジタルコンテンツ表示システム。
【請求項７】
前記閲覧済ページ番号取得手段は、前記ページ出力手段により前記ページが表示された後予め定められた表示時間が経過した場合に、当該ページを閲覧済みと判定し、当該ページにかかるページ番号を、閲覧済ページ番号リストに記憶する一方で、前記ページが表示された後、前記表示時間が経過していない場合には、当該ページを未閲覧と判定して、当該ページにかかるページ番号を、閲覧済ページ番号リストに記憶しないものである請求項１ないし請求項６のいずれか１項に記載のデジタルコンテンツ表示システム。
【請求項８】
前記ページ出力手段は、現在表示されているページが、該ページの隣接ページに切り替え表示される際に、本のページをめくる動きを表現する予め定められたページめくり動画画像及び本のページをめくる音を表現する予め定められたページめくり音のいずれか又は双方を出力するものである請求項１ないし請求項７のいずれか１項に記載のデジタルコンテンツ表示システム。
【請求項９】
前記デジタルコンテンツはデジタルカタログである請求項１ないし請求項８のいずれか１項に記載のデジタルコンテンツ表示システム。
【発明の詳細な説明】
【技術分野】
【０００１】
本発明は、各ページにページ番号が付されたデジタルコンテンツをページ単位で表示するデジタルコンテンツ表示システムに関する。
【背景技術】
【０００２】
【特許文献１】特開２００１−５２０２５号公報
【０００３】
パソコン等の端末装置上で画面表示されるデジタルコンテンツには、各々ページ番号が付された複数のページからなり、表示ページを移動する形で各ページを閲覧するものがある（特許文献１）。
【発明の開示】
【発明が解決しようとする課題】
【０００４】
ところで、こうしたデジタルコンテンツにおいて、特にページ数が多いもについては、目的のページを閲覧するために、他のページを飛ばす操作がなされることがある。また、誤操作によりページが飛ばされる可能性もある。このようにページが飛ばされて未閲覧のページが残ることは、コンテンツ提供者にとって望ましい状況ではない。例えば、当該デジタルコンテンツが商品カタログのようなものであれば、お勧めのページが未閲覧のままと読み進められたり、ユーザーが望む商品の掲載ページが誤操作で飛ばされたりすることは、結果として、商品の販売に結びつかないといった不利益に直結するからである。また、有意義な情報を見逃すことは、当該デジタルコンテンツを利用するユーザーにとっても不利益なことである。
【０００５】
本発明の課題は、デジタルコンテンツの閲覧者に対し閲覧漏れが無いよう効果的に情報を提供できるデジタルコンテンツ表示システムを提供することにある。
【課題を解決するための手段及び発明の効果】
【０００６】
上記課題を解決するために、本発明のデジタルコンテンツ表示システムは、
各々ページ番号により特定される複数のページからなり、それら複数のページをページめくり形式で閲覧可能なブック型表示コンテンツをなすデジタルコンテンツを、表示部の画面上にページ単位で切り替えて表示するページ出力手段と、表示すべきページのページ番号を入力するページ番号入力手段と、入力されたページ番号に対応するページのデータを選択して、ページ出力手段に切替表示させる表示制御手段とを有するデジタルコンテンツ表示システムにおいて、
デジタルコンテンツは、表示部の画面上に当該デジタルコンテンツを閲覧するための閲覧ウィンドウが表示されるとともに、当該閲覧ウィンドウには、当該デジタルコンテンツの各ページをページ単位で表示する表示するコンテンツ表示領域と、当該コンテンツ表示領域とは異なる領域にて当該コンテンツ表示領域内の表示を変更するための複数の操作ボタン画像が表示される表示変更操作領域とが設けられており、
デジタルコンテンツの予め定められたページ番号範囲内において、ページ番号入力手段によるページ番号入力により、ページ出力手段にて表示・閲覧済みのページにかかるページ番号を、閲覧済ページ番号リストに記憶する閲覧済ページ番号記憶手段と、
デジタルコンテンツの予め定められた区切りページが未閲覧ページを案内表示するための未閲覧案内ページとして設けられるとともに、該区切りページが表示・閲覧対象として選択された場合、及び該区切りページを飛ばす形で該区切りページよりもページ番号の大きいページが表示・閲覧対象として選択された場合のいずれか又は双方において、該デジタルコンテンツの閲覧開始から現在までに閲覧された閲覧済ページのページ番号を、閲覧済ページ番号リストから取得する閲覧済ページ番号取得手段と、
取得された閲覧済ページのページ番号に基づいて、ページ番号範囲内に存在する未閲覧ページを特定する未閲覧ページ特定手段と、
特定された未閲覧ページの閲覧勧誘を行うための閲覧勧誘情報を出力する閲覧勧誘情報出力手段と、
を有し、さらに、
閲覧勧誘情報出力手段は、コンテンツ表示領域に表示される未閲覧案内ページにおいて閲覧勧誘情報を表示出力するとともに、当該閲覧勧誘情報として、閲覧勧誘の対象となる未閲覧ページのページ番号の一覧を表示し、かつそれら各ページ番号の表示に対応付ける形で、対応するページに表示されている予め定められた情報表示領域の内容を表示するとともに、さらに、対応する未閲覧ページにページを切り替えるための未閲覧ページ切替操作ボタン画像を表示して、当該未閲覧ページ切替操作ボタン画像への操作入力により各未閲覧ページへのページ切り替えが可能とされていることを特徴とする。
【０００７】
上記本発明の構成によると、デジタルコンテンツ閲覧時に、所定の区切りページに達すると、未閲覧ページが案内されて、ユーザーは、該未閲覧ページの存在を明確に認識することができる。これにより、閲覧漏れは生じ難くなる。
【０００８】
さらに、本発明の閲覧勧誘情報出力手段は、閲覧勧誘情報を音声出力し、かつ出力される該音声にあわせてしゃべるように動くキャラクター動画画像を、ページ出力手段により表示されるページ上に重畳表示するものとできる。ページ上に重ね表示されるキャラクター動画画像は当該ページ上で比較的目立つ上に、このキャラクター動画画像が未閲覧ページを音声にて案内するので、ユーザーは、該未閲覧ページの存在をより明確に認識することができる。
【０００９】
また、上記閲覧勧誘情報出力手段は、キャラクター動画画像として人の全身をページ上に重畳表示するものとできる。これにより、キャラクター動画画像は、しゃべっているときの口の動きだけでなく、手や足等の他の動き（ジェスチャー）を交えた形で未閲覧ページを案内できるので、ユーザーは、該未閲覧ページの存在をより明確に認識することができる。
【００１０】
ところで、区切りページは、デジタルコンテンツの最終ページに定めることができる。これにより、デジタルコンテンツを最終ページまで読み終えたユーザーに対し、見落としたページを認識させることができ、閲覧漏れを防止できる。
【００１１】
一方、本発明のデジタルコンテンツは、複数の連続ページ群（ページ番号が連続する複数ページからなる）に区分されたものとでき、当該連続ページ群の先頭ページ及び最終ページのいずれか又は双方に区切りページを設けることができる。この場合の未閲覧ページ特定手段は、区切りページが表示・閲覧対象として選択された場合、及び該区切りページを飛ばす形で該区切りページよりもページ番号の大きいページが表示・閲覧対象として選択された場合のいずれか又は双方において、当該区切りページの前のページに対応する連続ページ群内に存在する未閲覧ページを特定するものとできるし、あるいは、当該区切りページの直前のページに対応する連続ページ群内に存在する未閲覧ページを特定するものとすることもできる。これにより、先頭ページから後ろに順に読み進めていくデジタルコンテンツにおいて、途中の区切りページまで到達すると、それまでに見落としたページが案内され、閲覧漏れを防止できる。特に、ページ数の多いデジタルコンテンツの場合は、最終ページに到達してから見落としたページを案内されても、既にそれら周辺のページで何が掲載されていたかを忘れていて、意図的に飛ばしたのか、本当に見落としたのかをすぐに把握できないことがあるので、コンテンツの区切り毎に見落としが知らされることは有効である。
【００１２】
ところで、本発明は、該デジタルコンテンツの予め定められたページにおいて、当該ページに表示が切り替わるに伴い、当該ページに係る内容を音声出力し、かつ出力される該音声にあわせてしゃべるように動くキャラクター動画画像を当該ページ上に重畳表示するページ案内手段を備えて攻勢することもできる。これにより、各ページを読まなくともその内容を把握できる。また、上記閲覧勧誘情報出力手段を当該ページ案内手段に兼用させ、区切りページに表示が切り替わるに伴い、当該ページ案内手段が閲覧勧誘情報を出力手段として機能するように構成することもできる。さらに、閲覧勧誘情報出力手段とページ案内手段とが表示するキャラクター動画画像に同じキャラクターを用いることで、当該キャラクターを当該デジタルコンテンツ専用のナビゲータとして使用できる。
【００１３】
ところで、本発明の閲覧勧誘情報出力手段は、未閲覧ページ特定手段により特定された未閲覧ページの中に、予め定められた閲覧推奨ページが含まれるか否かを判定して、当該閲覧推奨ページが含まれている場合には、当該閲覧推奨ページの閲覧勧誘を行うための閲覧勧誘情報を出力するものとすることができる。ページ数の多いデジタルコンテンツにおいては、意図的に多くのページが飛ばされる形で読み進められることが考えられる。こうした場合、飛ばされた全てのページを案内するよりも、特に読んでほしい閲覧推奨ページのみを案内するようにすることで、ユーザーの負担を軽減できる。
【００１４】
なお、未閲覧ページの閲覧勧誘を行うための閲覧勧誘情報は、閲覧勧誘の対象となるページに表示される予め定められた情報表示領域の内容を案内するものとできる。この構成によると、閲覧勧誘情報による未閲覧ページの案内は、ページ内の全ての内容を伝えるものではなく、そのページ内の特定部分をのみ伝えることができる。例えば、ページ内を代表する情報の記載部分のみを伝えるようにすることができ、ユーザーは未閲覧ページの内容をすばやく把握し、自分に必要な情報であるか否かをすばやく判断できる。
【００１５】
また、閲覧済ページ番号取得手段は、ページ出力手段によりページが表示された後予め定められた表示時間が経過した場合に、当該ページを閲覧済みと判定し、当該ページにかかるページ番号を、閲覧済ページ番号リストに記憶する一方で、ページが表示された後、表示時間が経過していない場合には、当該ページを未閲覧と判定して、当該ページにかかるページ番号を、閲覧済ページ番号リストに記憶しないものとできる。ページを閲覧するには一定以上の時間が必要となるはずであり、一瞬で次のページに移った場合にはそのページを全く読んでいない可能性が高い。上記構成によると、開いたけれども見ていない可能性が高いページも未閲覧ページとされるので、閲覧漏れをより確実に防止できる。
【００１６】
なお、本発明のデジタルコンテンツは、ページめくり形式で閲覧可能なブック型表示コンテンツとすることができる。この場合のページ番号入力手段は、予め定められたページめくり操作部への操作入力に基づいて、現在表示されているページの隣接ページのページ番号を入力する隣接ページ番号入力手段を備えて構成される。この構成によると、ユーザーは本を読む感覚でコンテンツを閲覧することができ、読み進めやすい。特に、１ページ１ページを順に読み進めていく読み物である場合に、このブック型表示コンテンツは有効である。
【００１７】
また、デジタルコンテンツがブック型表示コンテンツである場合、ページ出力手段は、現在表示されているページが、該ページの隣接ページに切り替え表示される際に、本のページをめくる動きを表現する予め定められたページめくり動画画像及び本のページをめくる音を表現する予め定められたページめくり音のいずれか又は双方を出力するものとして構成できる。これにより、より本を読む感覚に近い形で、コンテンツを閲覧することができるので、読み進めやすい。
【発明を実施するための最良の形態】
【００１８】
以下、本発明の実施の形態を図面に示す実施例を参照して説明する。
図１は、本発明のデジタルコンテンツ表示システムの全体構成の一実施形態を示すブロック図である。図１のデジタルコンテンツ表示システム１は、パーソナルコンピュータ等にて構成される端末装置１００として構成されており、内部に記憶されたデジタルコンテンツ表示用の各種データ・プログラムに基づいてデジタルコンテンツを自身の音声出力部１０１及び表示部１０２において出力するものである。
【００１９】
端末装置１００は、図１に示すように、ＣＰＵ１１１、ＲＯＭ１１２、ＲＡＭ１１３、ネットワーク接続のための外部インターフェース（モデム、ルータ、ＬＡＮボード等）１１６、及びタイマー１１８等が、バスライン１１４を介して接続するマイクロコンピュータ（以下、マイコンという）１１０として構成されている。また、マイコン１１０は、図示されない種々のインターフェースを介して、音声出力部１０１、表示部１０２、操作部１０３、記憶媒体１２０との間で各種データの入出力が可能な装置であるデータ入力部１０４、及び外部記憶装置１０５と接続している。なお、記憶媒体１２０としては、ＣＤ−ＲＯＭ（Compact Disc - Read Only Memory ），ＤＶＤ−ＲＯＭ（Digital Versatile Disc - Read Only Memory），ハードディスク，メモリ，メモリカード等の周知のものを用いることができる。また、外部インターフェース１１６を介して通信ネットワーク２００とも接続されている。なお、本実施形態の通信ネットワーク２００はインターネットを主体とするものであり、インターネットやイントラネット、パソコン通信網、公衆電話回線網、ＬＡＮ等からなるが、インターネットを利用しない構成も当然あり得る。
【００２０】
外部記憶装置１０５には、ＣＰＵ１１１が実行する種々のプログラム（オペレーティングシステムソフトウェア（ＯＳ：本実施形態では（米国Microsoft社の登録商標名；Windows98、 Windows2000等、種々のバージョンが存在する）を使用している）や、ＯＳ上で稼動するアプリケーションとして機能するアプリケーションプログラム等）とともに、デジタルコンテンツ表示用の各種データ・プログラムを記憶している。
【００２１】
デジタルコンテンツ表示用の各種データ・プログラムとしては、図１に示すように、デジタルコンテンツを閲覧可能とする専用のブラウザソフト１０５ａ、該デジタルコンテンツの画像表示や音声出力に使用される各種データを含むコンテンツデータ１０５ｂ、及びブラウザソフト１０５ａを立ち上げ、該ブラウザソフト１０５ａ上にて該コンテンツデータ１０５を用いたデジタルコンテンツを閲覧可能に出力するためのコンテンツ出力プログラム１０５ｃ等があり、外部記憶装置１０５にはこれらが記憶されている。これらのデジタルコンテンツ表示用の各種データ・プログラム１０５ａ〜１０５ｃは、データ入力部１０４を介して記憶媒体１２０からインストールしたり、ネットワーク２００を介して図示されないサーバーからダウンロードしてインストールすることができる。
【００２２】
なお、本実施形態の外部記憶装置１０５は、ハードディスクドライブ（ＨＤＤ）にて構成されているが、不揮発性メモリ等、他の記憶装置であってもよい。
【００２３】
ＲＡＭ１１３内には、ＣＰＵ１１１が実行する種々のプログラム実行時に使用する種々のデータメモリ（キャッシュメモリを含む）のエリアが形成されている。例えば、端末装置１００のＯＳを実行するためのワークメモリである実行メモリ（ＯＳ実行メモリ）や、インターネット２００のホームページを閲覧するための、公知のＷｅｂブラウザソフト（例えば、Internet Explorer（Microsoft社の登録商標名）あるいはNetscape Navigator（米国NetscapeCommunications社の登録商標名））の実行メモリの他、ブラウザソフト１０５ａの実行メモリやコンテンツ出力プログラム１０５ｃの実行メモリ等が形成される。コンテンツ出力プログラム１０５ｃの実行メモリには、デジタルコンテンツにおける表示中のページのページ番号を記憶する領域１１３ａや、デジタルコンテンツの閲覧済ページ番号リストを記憶する領域１１３ｂ、タイマー１１８のカウント値を記憶するタイマーメモリ１１３ｃ等が形成されている。
【００２４】
音声出力装置１０１は、アンプやスピーカから構成される周知の装置構成を有し、コンテンツ出力プログラム１０５ｃの実行に伴い、コンテンツデータ１０５ｂに基づくデジタルコンテンツの音声出力が実行される。
【００２５】
表示部１０２は、本実施形態においてはカラー表示装置であり、液晶ディスプレイ，プラズマディスプレイ，ＣＲＴ（Cathode Ray Tube）等とすることができ、それらのいずれを用いてもよい。図２に示すように、表示装置１０２の表示画面１０２Ｓには、コンテンツ出力プログラム１０５ｃの実行に伴うブラウザソフト１０５ａの起動により、コンテンツデータ１０５ｂに基づくデジタルコンテンツの表示出力が実行される。なお、この表示部１０２が本発明のページ出力手段として機能する。
【００２６】
操作部１０３は、マウスのようなポインティングデバイスや、キーボード等の周知の操作部である。リモコンや音声入力装置、表示部１０２に設けられるタッチパネルであってもよい。具体的に言えば、表示部１０２には、図２に示すように、表示画面１０２Ｓに操作入力用の操作ボタンの画像１５３Ａ〜１５３Ｋが複数表示されるので、画面１０２Ｓ上に表示されるポインタ１０３Ｐを、例えばマウス（ポインティングデバイス）１０３により移動操作し、該ポインタ１０３Ｐが操作ボタン画像を位置指示した状態で位置指示入力操作（クリック操作）を行うことにより、マイコン１１０が、当該操作ボタン画像１５２に対応する制御内容を実行する操作入力を受け付ける。なお、操作部１０３のうちのいずれかが、本発明のページめくり操作部を含むページ切替操作部として機能する。本実施形態においては、マウス（ポインティングデバイス）がこれに相当する。なお、例えばキーボードの所定のキーがページ切替操作部として機能するようになっていてもよい。
【００２７】
ところで、本実施形態のデジタルコンテンツは、連続する複数のページを有している。つまり、各々のページが連番で付されたページ番号により特定される構成を有している。これら各ページは、端末装置１００のＣＰＵ１１１が、コンテンツ出力プログラム１０５ｃを実行することにより閲覧可能とされている。なお、本実施形態においては、表表紙ページ及び裏表紙ページを除く各ページに、先頭から順に連番でページ番号が付されている。
【００２８】
このデジタルコンテンツは、コンテンツ出力プログラム１０５ｃの実行により、表示装置１０２の表示画面１０２Ｓ上にてページ単位で表示可能とされる一方で、上述のように、操作部１０３へのページ切替操作に基づいて、表示画面１０２Ｓ上に表示ページの切り替える形で閲覧可能である。各ページを表示するための種々のデータは、記憶装置１０５にコンテンツデータ１０５ｂとして記憶されており、例えば、図３に示すような、各ページに対し、ページを表示するページ表示用の画像データの他、ページ案内用の音声データ及び動画データ（キャラクター動画データ）、未閲覧案内用の音声及び動画データを対応付けたテーブル１０５ｂ１として記憶されている。
【００２９】
また、このコンテンツ出力プログラム１０５ｃは、表示装置１０２の表示画面１０２Ｓ上にて表示・閲覧済みのページにかかるページ番号を、閲覧済ページ番号リスト１１３ｂに記憶する機能（閲覧済ページ番号記憶手段）を有する。なお、閲覧済ページ番号リスト１１３ｂに追加されるページ番号は予め定められたページ番号範囲内のものである。本実施形態では、ページ番号が付された全てのページが当該ページ番号範囲内に含まれるものとする。
【００３０】
また、このデジタルコンテンツは、当該コンテンツを構成するページの中に区切りページを予め設定している。本実施形態の区切りページは裏表紙ページ、つまり、当該デジタルコンテンツの最終ページに設定されている。この区切りページが表示・閲覧対象として選択された場合、あるいは該区切りページを飛ばす形で該区切りページよりもページ番号の大きいページが表示・閲覧対象として選択された場合には、上記の閲覧済ページ番号リスト１１３ｂから、当該デジタルコンテンツの閲覧開始から現在までに閲覧された閲覧済ページのページ番号を取得し（閲覧済ページ番号取得手段）、取得された閲覧済ページのページ番号に基づいてページ番号範囲内に存在する未閲覧ページを特定する（未閲覧ページ特定手段）。そして、特定された未閲覧ページの閲覧勧誘を行うための閲覧勧誘情報を出力する（閲覧勧誘情報出力手段）。
【００３１】
図２は、本実施形態のデジタルコンテンツを表示する表示部（カラー表示装置）１０２を概略的に示した正面図である。ここでの表示部１０２は音声出力装置１０１を一体に備えた表示装置として構成されている。表示画面１０２Ｓ上には、コンテンツ出力プログラム１０５ｃの実行に伴うブラウザソフト１０５ａの起動により、本実施形態のデジタルコンテンツを閲覧するための閲覧ウィンドウ１５０が表示されている。
【００３２】
閲覧ウィンドウ１５０内には、当該デジタルコンテンツの各ページをページ単位で表示するコンテンツ表示領域１５１Ａと、該コンテンツ表示領域１５１Ａ内の表示を変更するための複数の操作ボタン画像１５２が表示される表示変更操作領域１５１Ｃとが設けられている。さらに、本実施形態におけるデジタルコンテンツは複数の章（連続ページ群）に区分されており、閲覧ウィンドウ１５０内には、各章の見出しをリスト表示する見出し領域１５１Ｂが設けられている。
【００３３】
また、コンテンツ表示領域１５１Ａに表示される、デジタルコンテンツの各ページは、図４に示すようなページめくり形式で閲覧可能とされている。つまり、本実施形態のデジタルコンテンツはブック型表示コンテンツである。図４は、ページ切替操作に伴い生じるページめくり動作を説明する図である。ページ１６０に対し左側のページ（ここでは、現在よりも大きいページ番号のページ）に切り替えるページめくり操作がなされると、本のページを右にめくる動きを表現する予め定められたページめくり動画画像及び本のページをめくる音を表現する予め定められたページめくり音のいずれか又は双方が出力される。具体的に言えば、符号１６０ａの状態にあるページが、符号１６０ｂから符号１６０ｃ、１６０ｄ、１６０ｄ、１６０ｅ、１６０ｆの状態を経て符号１６０ｇに移動するアニメーション（動画画像）が表示されるとともに、これと同時に（これに合わせて）ページめくり音（本のページをめくるときの紙の擦れるような音）が音声出力装置１０１から出力される。符号１６０ｇの状態となると、切替先のページが表示される。
【００３４】
なお、右側のページに切り替えるページめくりも、左側のページに切り替えるページめくりと原理的には同様で、本のページを左にめくる動きを表現する予め定められたページめくり動画画像及び本のページをめくる音を表現する予め定められたページめくり音のいずれか又は双方が出力される。具体的に言えば、図４の左にめくるページめくりアニメーション（符号１６０ａ→１６０ｇ）とは逆向きにページをめくるアニメーション（符号１６０ｇ→１６０ａ）を表示して、これと同時に（これに合わせて）上述のページめくり音を音声出力装置１０１から出力する。なお、右ページめくり音と左ページめくり音を同じとしてもよいし、異なる音として、音によりめくり方向を区別できるようにしてもよい。
【００３５】
表示変更操作領域１５１Ｃ内には、現在表示されているページを当該ページに隣接する１ページ後ろのページ（直後のページ）に表示を切り替えるページ送り操作ボタン画像１５３Ａと、現在表示されているページを当該ページに隣接する１つ前のページ（直前のページ）に表示を切り替えるページ戻し操作ボタン画像１５３Ｂと、最終ページ（本実施形態においてはデジタルコンテンツ全体の最終ページをなす裏表紙ページであるが、例えば、上記ページ番号範囲内の最終ページでもよいし、現在のページが属する章（連続ページ群）の最終ページ（あるいは隣接する直後の章の先頭ページ）でもよい。）に表示を切り替える最終ページ表示操作ボタン画像１５３Ｃと、先頭ページ（本実施形態においてはデジタルコンテンツ全体の先頭ページをなす表表紙ページであるが、例えば、上記ページ番号範囲内の先頭ページでもよいし、現在のページが属する章の先頭ページでもよい。）に表示を切り替える先頭ページ表示操作ボタン画像１５３Ｄと、コンテンツ表示領域１５１Ａ内に表示された内容の拡大表示・縮小表示を実行する拡大縮小操作ボタン画像１５３Ｉと、後述するキャラクター動画画像を表示するか否かを設定するキャラクター動画画像表示オンオフ操作ボタン画像１５３Ｊとが設けられている。
【００３６】
また、操作ボタン画像１５３Ａ〜１５３Ｄは、当該画像への位置指示入力により現在表示されているページを別のページに切り替えるためのページ切替操作用画像１５２として機能するが、本実施形態においては、これら以外にもページ切替操作用画像１５２が設けられている。即ち、本実施形態のデジタルコンテンツは、複数の連続ページ群に区分されており、見出し領域１５１Ｂには、各連続ページ群の予め定められたページ（ここでは各連続ページ群の先頭ページ）に表示を切り替える指定ページ表示操作ボタン１５３Ｅ〜１５３Ｈが設けられており、これらもページ切替操作用画像１５２として機能している。図２においては、指定ページ表示操作ボタン１５３Ｅ〜１５３Ｈであり、各々には切替先のページ番号が表示されている。
【００３７】
なお、各指定ページ表示操作ボタン１５３Ｅ〜１５３Ｈの周辺領域には、各ボタン１５３Ｅ〜１５３Ｈに対応する章（連続ページ群）内の表示内容の要約が表示されており、各連続ページ群の内容を把握できるようになっている。本実施形態の各ボタン１５３Ｅ〜１５３Ｈに対応する要約は、章（連続ページ群）内に含まれるページ毎の要約が列挙される形（箇条書きの形）で表示されており、これら個々の要約の表示領域も、対応するページへと表示を切り替えるページ切替操作用画像１５２となっている。つまり、各指定ページ表示操作ボタン１５３Ｅ〜１５３Ｈが、対応する章の先頭ページに表示を切り替えるページ切替操作用画像１５２、章の各ページの要約表示領域が、それぞれ対応するページに表示を切り替えるページ切替操作用画像１５２となっている。
【００３８】
なお、閲覧ウィンドウ１５０の右上には、当該デジタルコンテンツの閲覧を終了するために、当該閲覧ウィンドウ１５０を閉じるための閲覧終了操作ボタン画像１５３Ｋが表示されている。
【００３９】
ここで、本実施形態のデジタルコンテンツにおいて、コンテンツ表示領域１５１Ａ内に表示される各ページ１６０の具体的な表示例を、図５〜図８を用いて説明する。
【００４０】
図５は、コンテンツ表示領域１５１Ａ内に表示された本実施形態のデジタルコンテンツの表表紙ページ１６０Ｔを示す図である。本実施形態のデジタルコンテンツは、右にページをめくる形で読み進めるブック型表示コンテンツであり、表表紙のページ１６０Ｔは、コンテンツ表示領域１５１Ａの左側領域（本実施形態ではコンテンツ表示領域１５１Ａの左半分）に表示され、残余の右側領域はページ非表示領域１６０Ｎとされている。
【００４１】
図６は、コンテンツ表示領域１５１Ａ内に表示される本実施形態のデジタルコンテンツを構成する各ページ１６０の一表示例であり、隣接ページが見開きで表示される見開きページ１６０Ｌ，１６０Ｒの一例を示す図である。見開きページ１６０Ｌ，１６０Ｒは、各ページが文章表示領域１６２や画像表示領域１６３等を有する１枚の画像として、コンテンツ表示領域１５１Ａ内に左右に並べて表示されている。各ページ１６０Ｌ，１６０Ｒの下部中央にはそれぞれのページ番号１６４が付されている。
【００４２】
図７は、コンテンツ表示領域１５１Ａ内に表示される本実施形態のデジタルコンテンツを構成する各ページ１６０の一表示例であり、コンテンツ表示領域１５１Ａ内に１ページを表示するワイドページ１６０Ｗの一例を示す図である。ワイドページ１６０Ｗも、文章表示領域１６２や画像表示領域１６３等を有する１枚の画像として表示されている。下部中央にはページ番号１６４が付されている。
【００４３】
図８は、コンテンツ表示領域１５１Ａ内に表示された本実施形態のデジタルコンテンツの裏表紙ページ１６０Ｆを示す図である。本実施形態のデジタルコンテンツは、右にページをめくる形で読み進めるブック型表示コンテンツであり、裏表紙のページ１６０Ｆは、コンテンツ表示領域１５１Ａの右側領域（本実施形態ではコンテンツ表示領域１５１Ａの右半分）に表示され、残余の左側領域はページ非表示領域１６０Ｎとされている。符合１６６は背表紙表示領域である。
【００４４】
ところで、図５〜図８に示す各ページ１６０では、各々のページ１６０に表示が切り替わるに伴い、切り替わったページ１６０に係る内容が音声出力され、同時に、その出力される該音声にあわせてしゃべるように動くキャラクター動画画像１６１が当該ページ１６０上に重畳表示される（ページ案内手段）。この音声案内及びキャラクター動画像１６１が出力されるページ１６０は予め定められており、本実施形態においては、表裏の表示ページ１６０Ｔ，１６０Ｆを含む全てのページが対象となっている。このキャラクター動画画像１６１は、人の顔だけを表示するものであってもよいが、本実施形態においては、人の全身を表示する動画画像とされており、例えば、図６に示すようにコンテンツ表示領域１５１Ａ内に表示されたページ１６０上を移動したり、図７に示すように身振り手振り（ジェスチャー）を交えたりしながら、対応するページに記載された内容を案内する。また、所定の案内出力が終了すると、このキャラクター動画画像１６１は、図８に示すように、所定のアニメーションを経て、ページ上から消えるようになっている。
【００４５】
なお、このキャラクター案内動画画像１６１は、図１７に示すように、キャラクター動画レイヤーＬ１上に、図３に示す動画データ（キャラクター動画データ）に基づいて表示され、表示されるキャラクターを除く残余の領域は透明に設定されている。当該キャラクターに関する動画画像は全て当該動画レイヤーＬ１上に表示される。他方、当該キャラクターの背景に表示されるべきページの画像は、ページ画像レイヤーＬ２上に図３に示すページ表示用画像データに基づいて表示される。そして、コンテンツ表示領域１５１Ａ上には、キャラクター動画レイヤーＬ１をページ画像レイヤーＬ２上に重ねる形で表示出力されて、ページ画像上に当該キャラクターの動画画像が表示される。
【００４６】
ただし、本実施形態においては、図８に示す裏表紙ページ１６０Ｆが区切りページと定められ、外部記憶装置１０５の所定記憶領域にコンテンツデータ１０５ｂの一部として記憶されている。当該区切りページが表示・閲覧対象として選択された場合（当該区切りページにページを切り替えるページ切替操作がなされた場合）には、デジタルコンテンツ内の予め定められたページ番号範囲内において未閲覧ページが特定され、当該未閲覧ページの閲覧勧誘を行うための閲覧勧誘情報が出力される。ここでは、裏表紙ページ１６０Ｆが表示されるに伴い、当該デジタルコンテンツの閲覧開始から現在までの未閲覧ページの閲覧勧誘を行うための閲覧勧誘情報が音声出力され、同時に、その出力される該音声にあわせてしゃべるように動く、上記したキャラクター動画画像１６１と同じキャラクターのキャラクター動画画像１６１が当該ページ１６０Ｆ上に重畳表示される（閲覧勧誘情報出力手段）。
【００４７】
なお、閲覧勧誘情報は、閲覧勧誘の対象となるページに表示される予め定められた情報表示領域の内容の案内を含む情報である。例えば、図７のワイドページ１６０Ｗが未閲覧ページである場合には、そのページ１６０Ｗの予め定められた情報表示領域１６５に掲載された内容が案内される形で、その閲覧勧誘がなされる。
【００４８】
また、区切りページをなす裏表紙ページ１６０Ｆは、本実施形態においては未閲覧ページを案内表示するためのページとされており、図８に示すように、当該ページに切り替えるページ切替操作があると、それまでの未閲覧ページの一覧が表示される。具体的に言えば、図８に示すページ１６０Ｆは未閲覧案内ページであって、各未閲覧ページにページを切り替えるための未閲覧ページ切替操作ボタン画像１６７（１５２）が表示されている。この未閲覧案内ページ１６０Ｆ上に表示されるポインタ１０３Ｐを、例えばマウス（ポインティングデバイス）１０３により移動操作し、ページ切替操作ボタン画像１６７を位置指示した状態で位置指示入力操作（クリック操作）を行うことにより、当該ページ切替操作ボタン画像１６７に対応する未閲覧ページに表示が切り替えられる。未閲覧ページ切替操作ボタン画像１６７（１５２）には、切替先のページ（未閲覧ページ）のページ番号が表示されるとともに、その未閲覧ページ切替操作ボタン画像１６７（１５２）との対応関係が分かる領域に、当該切替先のページ（未閲覧ページ）の閲覧を勧誘する情報が表示されている。
【００４９】
以下、コンテンツ出力プログラム１０５ｃの具体的な処理内容について説明する。本発明のコンテンツ出力プログラム１０５ｃは、ＣＰＵ１１１により実行されることで端末装置１００を、ページ出力手段、ページ番号入力手段、表示制御手段として機能させるものであり、さらに、閲覧済ページ番号記憶手段、未閲覧ページ特定手段、閲覧勧誘情報出力手段として機能させ、デジタルコンテンツの閲覧開始から現在までの未閲覧ページの閲覧勧誘を行うことが可能である。さらには、ページ案内手段としても機能するものである。
【００５０】
具体的な処理としては、表示装置１０２の表示画面１０２Ｓ上にて表示・閲覧済みのページにかかるページ番号を、閲覧済ページ番号リスト１１３ｂに記憶する閲覧済ページ記憶処理（閲覧済ページ番号記憶手段としての機能）と、操作部１０３へのページ切替操作に基づいて、表示画面１０２Ｓ上に表示されているページを切り替えるページ切替処理（ページ出力手段、ページ番号入力手段、表示制御手段、閲覧済ページ番号取得手段、閲覧勧誘情報出力手段、ページ案内手段としての機能を兼用する）とがある。
【００５１】
まず、閲覧済ページ記憶処理について、図９のフローチャートを用いて説明する。この閲覧済ページ記憶処理は、本実施形態のデジタルコンテンツが立ち上げられたことに基づいて開始される。まず、Ｓ１０１では初期化処理を行う。具体的には、タイマー１１８のカウント値を記憶するメモリ（図示なし）をリセットし、及びＲＡＭ１１３の閲覧済ページ番号リスト１１３ｂに記憶されたページ番号を消去する。そして、ページ切替の有無を監視する。監視の結果、Ｓ１０２にて、ページが切り替えられたと判定された場合にはＳ１０３に進み、切り替えられていないと判定された場合はＳ１０６に進む。
【００５２】
Ｓ１０３では、タイマー１１８を起動してタイマーメモリ１１３ｃの時間カウントのアップを開始する。Ｓ１０４では、その時間カウントが予め定められた値となってタイムアップとなったか否かを判定し、タイムアップとなった場合にはＳ１０５に進み、現在表示されているページのページ番号をＲＡＭ１１３の閲覧済ページ番号リスト１１３ｂに追加記憶する。具体的には、ＣＰＵ１１１が、ページ切替操作に基づいてページを切り替える際に、現在の表示ページのページ番号を記憶するＲＡＭ１１３の所定領域１１３ａに、切替先のページ番号を記憶するので、これを読み出して閲覧済ページ番号リスト１１３ｂに追加記憶する。その上でＳ１０６に進む。他方、Ｓ１０４にてタイムアップとなっていない場合はＳ１０７に進む。
【００５３】
Ｓ１０７では、新たなページ切替の有無を判定して、ページが切り替えられたと判定された場合にはＳ１０８に進み、タイマー１１８のカウント値を記憶するメモリ（図示なし）をリセットしてＳ１０３に戻る。切り替えられていないと判定された場合にはＳ１０４に戻る。
【００５４】
Ｓ１０６では、当該デジタルコンテンツを閉じる操作の有無を判定して、当該デジタルコンテンツを閉じるのであれば本処理を終了し、当該デジタルコンテンツを閉じないのであれば再びＳ１０２に戻る。デジタルコンテンツを閉じる操作は、マウス１０３による閲覧終了操作ボタン画像１５３Ｋへの位置指示入力によりなされる。
【００５５】
次に、ページ切替処理について、図１０のフローチャートを用いて説明する。このページ切替処理も、本実施形態のデジタルコンテンツが立ち上げられたことに基づいて開始される。まず、ページ切替操作の有無を監視する。具体的には、ＣＰＵ１１１が、当該ページ切替操作に基づいて入力される切替先のページ番号を監視し、当該ページ番号の入力があった場合には、当該ページ番号と、ＲＡＭ１１３の所定領域１１３ａに記憶される現在の表示ページのページ番号とを比較して、両ページ番号が異なるか否かにより判定する（Ｓ１）。両ページ番号が異なり、ページが切り替えられたと判定された場合はＳ２に進み、ページ切替が同じ、あるいはそもそもページ切替操作がない場合にはＳ１８に進む。
【００５６】
Ｓ２では、ページ切替操作により特定される切替先のページのページ番号を取得し、Ｓ３にて、取得したページ番号に対応するコンテンツデータを取得する。具体的に言えば、Ｓ２では、ＣＰＵ１１１が、Ｓ１で入力された切替先のページ番号を取得し、これをＲＡＭ１１３の、現在の表示ページのページ番号を記憶する領域に上書きする。Ｓ３では、図３に示すテーブルに基づいて、このページ番号に対応するページ表示用の画像データを取得する。
【００５７】
Ｓ４では、切替先のページが、キャラクター動画画像や音声出力を用いた案内出力を実行するページであるか否かを判定する。この判定も図３に示すテーブルに基づいてなされる。案内出力を行わないページであれば、Ｓ１６に進み、所定のページめくり出力を実行した上で、Ｓ１７にて切替先のページを表示し、Ｓ１８に進む。なお、本実施形態では全てのページにおいて案内出力が実行されるので、Ｓ４，１６，１７のステップを省略した処理とすることもできる。
【００５８】
Ｓ４にて、切替先のページが、キャラクター動画画像や音声出力を用いた案内出力を実行するページであると判定された場合にはＳ５に進み、図３のテーブルに基づいて、切替先ページのページ内容案内データ（動画データと音声データ）を取得する。
【００５９】
Ｓ６では、切替先のページが区切りページ（未閲覧案内ページ：本実施形態では裏表紙ページ）であるか否かを判定する。区切りページであればＳ７に進み、区切りページでなければＳ１２に進む。
【００６０】
切替先のページが区切りページであった場合には、まず、Ｓ７にて、ＲＡＭ１１３の閲覧済ページ番号リスト１１３ｂから閲覧済ページのページ番号を取得し、これに基づいて、ページ番号範囲内に存在する未閲覧ページを特定する。なお、区切りページ及び上記のページ番号範囲を特定するデータは、コンテンツデータ１０５ｂとして外部記憶装置１０５に記憶されている。続いてＳ８にて所定のページめくり出力を実行し、Ｓ９にて切替先のページを表示する。切替先ページの表示が終了すると、当該ページ上にキャラクター動画画像１６１が表示され（Ｓ１０）、当該区切りページのページ内容案内の後に、未閲覧ページの案内を音声出力する（Ｓ１１）。そして、キャラクター動画画像１６１は、この音声出力に合わせてしゃべるように動き、さらには、ページ上を動いたり、ジェスチャーを使ったりする（Ｓ１１）。音声案内が終了すると、図８の（ｂ）に示すように、キャラクター動画画像１６１は当該ページ上から消える。
【００６１】
切替先のページが区切りページでない場合には、まず、Ｓ１２にて、所定のページめくり出力を実行し、Ｓ１３にて切替先のページを表示する。切替先ページの表示が終了すると、当該ページ上にキャラクター動画画像１６１が表示され（Ｓ１４）、当該区切りページのページ内容案内を音声出力する（Ｓ１５）。そして、キャラクター動画画像１６１は、この音声出力に合わせてしゃべるように動き、さらには、ページ上を動いたり、ジェスチャーを使ったりする（Ｓ１５）。音声案内が終了すると、キャラクター動画画像１６１は当該ページ上から消える。
【００６２】
Ｓ１８では、当該デジタルコンテンツを閉じる操作の有無を判定して、当該デジタルコンテンツを閉じるのであれば本処理を終了し、当該デジタルコンテンツを閉じないのであれば再びＳ１のページ切替操作の監視に戻る。
【００６３】
なお、Ｓ１０、Ｓ１１、Ｓ１４，Ｓ１５におけるキャラクター動画画像を用いたページ案内処理は、キャラクター動画画像表示オンオフ操作ボタン画像１５３Ｊがオフに操作されているときには省略される。アニメーションによるページ案内を待っていられない事情がある場合には、操作ボタン画像１５３Ｊをオフに操作しておけばよい。
【００６４】
なお、Ｓ８，Ｓ１２，Ｓ１６にて実施されるページめくり表示処理は、図１１のフローチャートに示す流れで実施される。まず、Ｓ２１及びＳ２２にて、どちら側にページを切り替えるかを判定する。ここでは、隣接するページへの移動だけでなく、複数ページを飛ばして移動する場合も含まれ、現在よりも左のページ（ページ番号が大きいページ）に移動するか、現在よりも右のページ（ページ番号が小さいページ）に移動するかを判定する。具体的には、ＣＰＵ１１１が、ページ切替操作に基づいて入力される切替先のページ番号と、ＲＡＭ１１３の所定領域１１３ａに記憶される現在の表示ページのページ番号とを大小比較する形で判定する。その判定結果に基づいて、右にページを切り替える場合は、Ｓ２３にて、図４に示すようなページめくりアニメーションと右ページめくり音とを同時に出力し、左にページを切り替える場合は、Ｓ２４にて、図４とは逆にページをめくるページめくりアニメーションと左ページめくり音とを同時に出力する。これらＳ２３，Ｓ２４の処理の終了を受けて、図１０の対応するページ表示処理（Ｓ９，Ｓ１３，Ｓ１７）に戻る。
【００６５】
以上、本発明の一実施形態を説明したが、これらはあくまで例示にすぎず、本発明はこれらに限定されるものではなく、特許請求の範囲の趣旨を逸脱しない限りにおいて種々の変更が可能である。
【００６６】
例えば、上記実施形態のデジタルコンテンツは、ページ切替に伴いページめくり動作がアニメーション表現されるブック表示型コンテンツであったが、本発明のデジタルコンテンツはこれに限られず、少なくとも、各々ページ番号により特定される複数のページからなり、ページ単位での切り替え表示が可能なものであればよい。また、上記実施形態のデジタルコンテンツは、コンテンツ表示領域１５１Ａにおいて、左右にページをめくる形で読み進めるブック表示型コンテンツであったが、上下にページがめくられるものであってもよい。
【００６７】
また、ページ番号について、その設定形態に特に限定はなく、少なくとも連続するページに連続する文字・記号が付されていればよい。上記実施形態においては、表表紙ページ及び裏表紙ページを除くページ全てにページ番号が付されていたが、表表紙ページ及び裏表紙ページにもページ番号を付する形態であってもよいし、上記ページ番号範囲にのみページ番号を付する形態であってもよいし、デジタルコンテンツ内で区分された章（連続ページ群）毎に１から連番でページ番号を付する形態であってもよい。
【００６８】
また、未閲覧を案内する対象となるページは予め定められたページ番号範囲内のページとされており、上記実施形態においてはページ番号が付された全てのページとされ、当該ページ番号範囲内のページ番号のみが閲覧済ページ番号リスト１１３ｂに追加される構成となっているが、当該ページ番号範囲の設定の仕方に特に限定はなく、例えば、当該デジタルコンテンツ内で最も推奨される情報が掲載された連続ページ群にのみ設定するようにしてもよい。また、上記実施形態のように、上記ページ番号範囲内のページ番号のみが閲覧済ページ番号リスト１１３ｂに追加される構成でなくともよく、少なくとも未閲覧ページが当該ページ番号範囲内から特定される構成であればよい。例えば、未閲覧ページを特定する際に、全ページの中のから閲覧済ページを特定して、これに基づいて、当該ページ番号範囲内から未閲覧ページを特定するようにしてもよい。
【００６９】
また、上記実施形態において、デジタルコンテンツは複数の章（連続ページ群）に区分されているが、区分されていなくともよい。なお、複数の章（連続ページ群）に区分されている場合は、当該章の先頭ページ及び最終ページのいずれか又は双方に区切りページを設定して、当該区切りページが表示・閲覧対象として選択された場合に、当該区切りページの前のページに対応する章内に存在する未閲覧ページを特定するようにしてもよい。なお、区切りページの前のページに対応する章とは、区切りページの直前のページが属する章であってもよいし、区切りページの直前のページが属する章だけでなく、それよりも前（ページ番号が小さい）の全ての章であってもよい。図１２及び図１３は、その具体的な例を示すものである。
【００７０】
図１２は、章の先頭ページが区切りページに設定された場合の実施例である。図１２は、章の見出しを表示するページ（ここではワイドページ１６０Ｗ）であり、このページが閲覧対象に設定された場合には、当該ページのページ案内出力の前に、その直前の章の閲覧勧誘情報を出力する。
【００７１】
図１３は、章の最終ページであり、当該章の未閲覧ページを案内するためのページ１６０Ｒである。このページ１６０Ｒが閲覧対象に設定された場合には、当該ページ１６０Ｒのページ案内の出力とともに当該章の閲覧勧誘情報を出力する。ここでも、上記実施形態の図８と同様、各未閲覧ページにページを切り替えるための未閲覧ページ切替操作ボタン画像１６７（ページ切替操作用画像１５２）が表示されている。ただし、ここでは、当該ページ１６０Ｒの属する章の見出しページとして表示されており、各ページにページを切り替えるページ切替操作ボタン画像１５２の中に未閲覧ページ切替操作ボタン画像１６７が定められ、当該未閲覧ページ切替操作ボタン画像１６７のみが他のページ切替操作用画像１５２よりも強調表示されるようになっている。なお、当然、未閲覧ページ切替操作ボタン画像１６７のみを表示する構成であってもよい。また、図１３は、見開きページ１６０Ｒ，１６０Ｌであり、左側の見開きページ１６０Ｌには次の章の見出しを表示するページが表示されている。
【００７２】
なお、上記実施形態において、未閲覧ページの閲覧勧誘を行うための閲覧勧誘情報の出力は、上記実施形態のように、区切りページが表示・閲覧対象として選択された場合だけに限られず、区切りページの後にさらにページが続く場合には、該区切りページを飛ばす形で該区切りページよりも後のページ（ページ番号の大きいページ）が表示・閲覧対象として選択された場合にもなされるようにすることができる。例えば、図１４（ａ）に示すページ１６０（１６０Ｒ，１６０Ｌ）から区切りページをとばして後ろのページに進む操作がなされた場合には、キャラクター動画画像１６１を表示し、切替先のページよりも前のページにおける未閲覧ページを音声案内するようにすることもできる。なお、飛ばされたページの未閲覧ページのみを案内するようにしてもよい。
【００７３】
また、上記実施形態において、閲覧勧誘情報は、所定ページ番号範囲内の未閲覧ページ全てを閲覧勧誘の対象としているが、全てではなく、図１５に示すように、予め定められた閲覧推奨ページのみを対象とするようにしてもよい。即ち、特定された未閲覧ページの中に、予め定められた閲覧推奨ページが含まれるか否かを判定して、該閲覧推奨ページが含まれている場合に、該閲覧推奨ページの閲覧勧誘を行うための閲覧勧誘情報を出力するように構成することもできる。閲覧推奨ページは、そのページ番号を外部記憶装置１０５の所定記憶領域にコンテンツデータ１０５ｂの一部として予め記憶しておき、未閲覧の閲覧推奨ページを特定する際には、ＣＰＵ１１１がこれら閲覧推奨ページを読み出し、別途特定される未閲覧ページとのページ番号の一致／不一致を判定する形で特定する。なお、図１５のページ１６０Ｆにおいては、未閲覧の各閲覧推奨ページにページを切り替えるための未閲覧推奨ページ切替操作ボタン画像１６８（ページ切替操作用画像１５２）が表示されている。
【００７４】
また、本発明のデジタルコンテンツ表示システムは、図１６のように構成することができる。即ち、デジタルコンテンツ表示用の各種データ・プログラムをサーバー１００からの配信を受けて出力する構成である。図１６のサーバーは、ＣＰＵ１１，ＲＯＭ１２，ＲＡＭ１３，バスライン１４、外部インターフェース１６等を備える周知のマイコン１９と、これに接続する外部記憶装置（ハードディスクドライブ）１５を備えて構成されており、複数の端末装置１００とネットワーク２００を介して接続することができる。外部記憶装置１５には、デジタルコンテンツ表示用の各種データ・プログラム（ブラウザソフト１０５ａ、コンテンツデータ１０５ｂ、コンテンツ出力プログラム１０５ｃ）が配信用データ１５ｂとして格納されており、端末装置１００からアクセスされて配信要求を受けるに伴い、所定の認証処理を経て認証ＯＫとされた場合に、これを端末装置１００上で出力可能となるよう配信する。
【００７５】
例えば、当該デジタルコンテンツがデジタルカタログであれば、以下のような処理を行うシステムとして構成できる。端末装置１００において、配信されたデジタルカタログ上で、購入する商品を選択・決定する操作が可能となるよう構成し、さらに、当該操作に基づいて商品購入処理要求信号を出力するように構成する。サーバー１０は、当該商品購入処理要求信号を受け、当該商品購入を受理できるか判定し、受理できる場合には、購入完了が端末装置１００上で出力されるよう購入完了出力信号を返信する。端末装置１００上には、これを受けて購入完了が出力され、購入手続きの終了が認識される。本発明のデジタルコンテンツ表示システムは、このような処理の流れが可能となる、オンラインショップのようなシステムの一部として構築することもできる。
【図面の簡単な説明】
【００７６】
【図１】本発明のデジタルコンテンツ表示システムの全体構造の一例を示すブロック図。
【図２】本発明のデジタルコンテンツを表示した表示部の正面図。
【図３】各ページに対応して記憶されたデータを示すテーブル。
【図４】ページめくり表示を説明する図。
【図５】本発明のデジタルコンテンツを構成するページの一例である表表紙ページの表示例。
【図６】本発明のデジタルコンテンツを構成するページの一例である見開きページの表示例。
【図７】本発明のデジタルコンテンツを構成するページの一例であるワイドページの表示例。
【図８】本発明のデジタルコンテンツを構成するページの一例である裏表紙ページの表示例。
【図９】閲覧済ページ記憶処理の流れを示すフローチャート。
【図１０】ページ切替処理の流れを示すフローチャート。
【図１１】ページめくり表示処理の流れを示すフローチャート。
【図１２】図８とは異なる、未閲覧ページを案内する画面の表示例。
【図１３】図８及び図１２とは異なる、未閲覧ページを案内する画面の表示例。
【図１４】図８、図１２及び図１３とは異なる、未閲覧ページを案内する画面の表示例。
【図１５】未閲覧の推奨ページを案内する画面の表示例。
【図１６】図１とは異なるデジタルコンテンツ表示システムの全体構造を示すブロック図。
【図１７】重畳表示に使用される各レイヤーを説明する図。
【符号の説明】
【００７７】
１  デジタルコンテンツ表示システム
１００  端末装置
１０１  音声出力部
１０２  表示部
１０３  操作部
１０５  外部記憶装置
１１０  マイコン
１１１  ＣＰＵ
１１２  ＲＯＭ
１１３  ＲＡＭ
１１３ｂ  閲覧済ページ番号リスト
１５０  閲覧ウィンドウ
１５１Ａ  コンテンツ表示領域
１５２（１５３Ａ〜１５３Ｈ、１６７）  ページ切替操作ボタン画像
１６０  ページ
１６１  キャラクター動画画像
１６４  ページ番号
【要約】
【課題】  デジタルコンテンツの閲覧者に対し閲覧漏れが無いよう効果的に情報を提供できるデジタルコンテンツ表示システムを提供する。
【解決手段】  ページめくり型のデジタルコンテンツを表示するデジタルコンテンツ表示システム１において、当該コンテンツ閲覧時に、閲覧済ページのページ番号を記憶・蓄積するようにして、所定の区切りページに達すると、蓄積された閲覧済ページ番号に基づいて未閲覧ページを特定し、当該区切りページ上に表示されるキャラクター動画画像１６１により当該未閲覧ページの閲覧勧誘情報を音声出力するようにした。
【選択図】  図１【図１】
0004153022.tif 000002
【図２】
0004153022.tif 000003
【図３】
0004153022.tif 000004
【図４】
0004153022.tif 000005
【図５】
0004153022.tif 000006
【図６】
0004153022.tif 000007
【図７】
0004153022.tif 000008
【図８】
0004153022.tif 000009
【図９】
0004153022.tif 000010
【図１０】
0004153022.tif 000011
【図１１】
0004153022.tif 000012
【図１２】
0004153022.tif 000013
【図１３】
0004153022.tif 000014
【図１４】
0004153022.tif 000015
【図１５】
0004153022.tif 000016
【図１６】
0004153022.tif 000017
【図１７】
0004153022.tif 000018